(57)【要約】【課題】  各指向性アンテナを所定の指向方向に向くように容易に設置でき、搬送しやすいと共に保管スペースが小さくなる構造とする。【解決手段】  第１指向性アンテナ１ないし第３指向性アンテナ３は、相互に所定角度で第１マスト４ａに固着されている。第１マスト４ａを伸張して支持する第２マスト４ｂの下部は取付台７に固着されている。第１指向性アンテナ１ないし第３指向性アンテナ３は、背面側に設けられた取付金具により複数の前記アンテナケースが相互に所定角度で前記マストに固着されており、第１マスト４ａには、規定ボルトが所定角度で突出するように設けられており、規定ボルトにより、第１指向性アンテナ１ないし第３指向性アンテナ３の第１マスト４ａに対する取付角度が規定される。また、第２取付足１０２を回転させて第１取付足１０１に沿うように取付台７を折り畳める。【選択図】  図１
2020005140.tif 000002
【特許請求の範囲】
【請求項１】
指向性アンテナが内蔵された複数のアンテナケースと、
該複数のアンテナケースが相互に所定角度で固着されるマストと、
該マストの下部に固着された取付台とを備え、
前記アンテナケースは、背面側に設けられた取付金具により複数の前記アンテナケースが相互に所定角度で前記マストに固着されており、
前記マストには、前記所定角度で設けられた前記アンテナケースと同数の規定ボルトが前記マストから突出するように設けられており、前記規定ボルトにより、前記アンテナケースの背面側に設けられた前記取付金具の前記マストに対する取付角度が規定されることを特徴とするアンテナ取付装置。
【請求項２】
前記取付金具は、前記アンテナケースの背面側に固着される取付座金具、該取付座金具に対向すると共に前記マストをその間に挟持する押さえ金具、前記取付座金具に遊動可能に設けられ両腕部の先端部が前記押さえ金具に挿通されて、先端にネジ手段が螺着されるＵボルトから構成されており、
前記Ｕボルトの一方の腕に、前記押さえ金具の取付位置を規制する規制手段が設けられており、前記規定ボルトおよび前記規制手段により、角度調整を行うことなく前記アンテナケースを前記所定角度で前記マストに固着できることを特徴とする請求項１に記載のアンテナ取付装置。
【請求項３】
前記アンテナケースに内蔵された指向性アンテナが、左旋円偏波アンテナおよび右旋円偏波アンテナとされていることを特徴とする請求項１または２に記載のアンテナ取付装置。
【請求項４】
前記取付台は、
前記マストの下端面に中央部が回動可能に固着された細長い矩形状の第１取付足と、前記マストの下端面に中央部が回動可能に前記第１取付足に重ねられて固着された細長い矩形状の第２取付足と、
前記第１取付足の両側の中途と前記マストの中途との間に設けられた２本の第１ステーと、前記第２取付足の両側の中途と前記マストの中途との間に設けられた２本の第２ステーと、
２本の前記第１ステーの上端を前記マストに固着する第１締め付け具と、２本の前記第２ステーの上端を前記マストに固着する第２締め付け具とを備えており、
前記第１締め付け具および／または前記第２締め付け具を緩めることにより、前記第１取付足および／または前記第２取付足を前記マストに対して回動可能とさせて、前記第１取付足を前記第２取付足に沿うように折り畳めることを特徴とする請求項１ないし３のいずれかに記載のアンテナ取付装置。
【請求項５】
前記取付台は、断面Ｌ字状とされた細長い第１取付足、第２取付足、第３取付足および第４取付足と、前記第１取付足ないし前記第４取付足の中途と前記マストの中途との間に設けられた４本のステーとを有し、
前記第１取付足と前記第２取付足とは、前記マストの下部を端部で挟持するよう配置されて、前記第１取付足の端部に形成された挿通孔に挿通した第１ボルト手段を、前記マストの下部に形成された第１貫通孔および前記第２取付足の端部に形成された挿通孔に挿通して螺着することにより、前記マストに前記第１取付足および前記第２取付足が固着され、前記第３取付足と前記第４取付足とは、前記マストの下部を端部で挟持すると共に前記第１取付足および前記第２取付足にほぼ直交して配置されて、前記第３取付足の端部に形成された挿通孔に挿通した第２ボルト手段を、前記マストの下部に前記第１貫通孔にほぼ直交するよう形成された第２貫通孔および前記第４取付足の端部に形成された挿通孔に挿通して螺着することにより、前記マストに前記第３取付足および前記第４取付足が固着され、
前記第１取付足と前記第２取付足とにそれぞれ設けられた２本の前記ステーの上端が、前記マストに前記第１貫通孔と平行に形成された第３貫通孔を挿通する第３ボルト手段により前記マストの中途に固着され、前記第３取付足と前記第４取付足とにそれぞれ設けられた２本の前記ステーの上端が、前記マストに前記第２貫通孔と平行に形成された第４貫通孔を挿通する第４ボルト手段により前記マストの中途に固着され、
前記第１ボルト手段および前記第２ボルト手段を緩めると共に、前記第３ボルト手段および前記第４ボルト手段を前記第３貫通孔および前記第４貫通孔から外して、前記マストの前記第３貫通孔および前記第４貫通孔より高い位置にそれぞれ平行に形成された第１取付穴および第２取付穴に前記第３ボルト手段および前記第４ボルト手段をそれぞれ挿通することにより、前記第１取付足ないし第４取付足および前記４本のステーを前記マストに沿うように折り畳めることを特徴とする請求項１ないし３のいずれかに記載のアンテナ取付装置。
【請求項６】
前記取付台は、断面Ｌ字状とされた細長い第１取付足、第２取付足、第３取付足および第４取付足と、前記第１取付足の両側の中途と前記マストの中途との間に設けられた２本の第１ステーと、前記第２取付足の両側の中途と前記マストの中途との間に設けられた２本の第２ステーとを有し、
前記第１取付足と前記第２取付足とは、前記マストの下部を端部で挟持するよう配置されて、前記第１取付足の端部に形成された挿通孔に挿通した第１ボルト手段を、前記マストの下部に形成された第１貫通孔および前記第２取付足の端部に形成された挿通孔に挿通して螺着することにより、前記マストに第１取付足および第２取付足が固着され、前記第３取付足と前記第４取付足とは、前記マストの下部を端部で挟持すると共に前記第１取付足および前記第２取付足にほぼ直交して配置されて、前記第３取付足の端部に形成された挿通孔に挿通した第２ボルト手段を、前記マストの下部に前記第１貫通孔にほぼ直交するよう形成された第２貫通孔および前記第４取付足の端部に形成された挿通孔に挿通して螺着することにより、前記マストに前記第３取付足および前記第４取付足が固着され、
２本の前記第１ステーの上端が、前記マストに前記第１貫通孔と平行に形成された第３貫通孔を挿通する第３ボルト手段により前記マストの中途に固着され、２本の前記第２ステーの上端が、前記マストに前記第２貫通孔と平行に形成された第４貫通孔を挿通する第４ボルト手段により前記マストの中途に固着され、
前記第２ボルト手段を前記第２挿通孔から外すと共に前記第４ボルト手段を前記第４貫通孔から外し、前記マストの前記第１貫通孔と前記第３貫通孔との間に前記第１貫通孔を若干回転させた角度で形成された第１取付穴に前記第２ボルト手段を挿通すると共に、前記マストの前記第２貫通孔と前記第４貫通孔との間に前記第１貫通孔を若干回転させた角度で形成された第２取付穴に前記第４ボルト手段を挿通することにより、前記第３取付足および第４取付足および２本の前記第２ステーを前記第１取付足および前記第２取付足に沿うように折り畳めることを特徴とする請求項１ないし３のいずれかに記載のアンテナ取付装置。
【発明の詳細な説明】
【技術分野】
【０００１】
本発明は、アンテナケース内に収納された複数のアンテナ部を支持するアンテナ取付装置に関する。
【背景技術】
【０００２】
現在、様々な通信システムが開発及び使用されているが、円偏波モードの通信システムがある。このような通信システムにおける基地局や端末機器用のアンテナとしては円偏波アンテナが用いられる。
近年、工場や工事現場の環境モニタリングなどの場面において、移動するターゲットである人や機械に無線デバイスを携帯させたり取り付けて、ターゲットの位置を検出すると共に無線デバイスから送信されるバイタルデータ等を受信することが提案されている。ターゲットの位置を検出する位置推定技術には、ターゲットの電波を受信した端末装置が、電波の到来方向からターゲットの位置を推定する方式（AOA：Angle of Arrival）がある。この方式では、周囲に設置されている位置を推定するための端末装置が必要となる。また、端末装置が電波の到来方向を検知するために、端末装置は複数の指向性アンテナを備えている。
【先行技術文献】
【非特許文献】
【０００３】
【非特許文献１】金丸幸弘他３名著  “無線センサネットワーク可視化システムに要求される位置推定精度に関する検討”、情報処理学会研究報告  IPSJ SIG Technical Report  Vol.2012-HCI-150 No.12  Vol.2012-UBI-36 No.12  2012/11/2
【発明の概要】
【発明が解決しようとする課題】
【０００４】
工場や工事現場の環境モニタリングなどを行う場面として、例えば、図１０に示す測量済のフィールド１０００内の周囲の所定位置に端末Ｔ１，端末Ｔ２，端末Ｔ３，端末Ｔ４を設置する。フィールド１０００内には無線デバイスを有するターゲット１０１０が複数存在するが、図１０ではターゲット１０１０を１つだけ示している。端末Ｔ１〜端末Ｔ４には３基の指向性アンテナで構成された同じ構成のアンテナ装置が設けられている。端末Ｔ１のアンテナ装置では図１１に示すように、第１指向性アンテナＡ１ａの指向方向が０°方向に、第２指向性アンテナＡ１ｂの指向方向が４５°方向に、第３指向性アンテナＡ１ｃの指向方向が９０°方向になるよう設置されている。端末Ｔ２〜端末Ｔ４のアンテナ装置も同様に、０°方向の指向方向に設置された指向性アンテナと、４５°方向の指向方向に設置された指向性アンテナと、９０°方向の指向方向に設置された指向性アンテナとを備えている。
【０００５】
端末Ｔ１は、ターゲット１０１０から送信された電波を受信した第１指向性アンテナＡ１ａ、第２指向性アンテナＡ１ｂおよび第３指向性アンテナＡ１ｃのそれぞれの受信電波の振幅からターゲット１０１０の位置を基準である０°方向からθ１方向と推定する。また、端末Ｔ２〜端末Ｔ４も同様に３基の指向性アンテナにおけるターゲット１０１０から送信された電波を受信したそれぞれの受信電波の振幅からターゲット１０１０の位置を基準である０°方向からθ２方向、θ３方向、θ４方向と検出する。端末Ｔ１〜端末Ｔ４で検出されたターゲット１０１０の位置情報（θ１、θ２、θ３、θ４）を処理したサーバは、位置情報からフィールド１０００内の位置を推定することができる。
【０００６】
指向性アンテナを備えるアンテナ取付装置は、工場や工事現場の環境モニタリングなどを行う際に、複数の指向性アンテナを所定の指向方向に向くように設置する必要があり、アンテナ取付装置は設置したり取り外したりが繰り返されることから、複数の指向性アンテナを容易に所定の指向方向に向くように設置できるアンテナ取付装置が求められている。また、アンテナ取付装置には端末も取り付けられている。端末を備えるアンテナ取付装置では、設置される工場や工事現場で使用が終了した際に、アンテナ取付装置を取り外して保管し、次の現場に搬送してアンテナ取付装置を設置して使用するようになる。このため、アンテナ取付装置は搬送しやすいと共に、保管スペースが小さくなる構造とすることが求められている。
【０００７】
そこで、本発明は、各指向性アンテナを所定の指向方向に向くように容易に設置でき、搬送しやすいと共に保管スペースが小さくなる構造とされたアンテナ取付装置を提供することを目的としている。
【課題を解決するための手段】
【０００８】
本発明の実施例のアンテナ取付装置は、指向性アンテナが内蔵された複数のアンテナケースと、該複数のアンテナケースが相互に所定角度で固着されるマストと、該マストの下部に固着された取付台とを備え、前記アンテナケースは、背面側に設けられた取付金具により複数の前記アンテナケースが相互に所定角度で前記マストに固着されており、前記マストには、前記所定角度で設けられた前記アンテナケースと同数の規定ボルトが前記マストから突出するように設けられており、前記規定ボルトにより、前記アンテナケースの背面側に設けられた前記取付金具の前記マストに対する取付角度が規定されることを最も主要な特徴としている。
また、本発明の他の実施例のアンテナ取付装置では、前記取付金具は、前記アンテナケースの背面側に固着される取付座金具、該取付座金具に対向すると共に前記マストをその間に挟持する押さえ金具、前記取付座金具に遊動可能に設けられ両腕部の先端部が前記押さえ金具に挿通されて、先端にネジ手段が螺着されるＵボルトから構成されており、
前記Ｕボルトの一方の腕に、前記押さえ金具の取付位置を規制する規制手段が設けられており、前記規定ボルトおよび前記規制手段により、角度調整を行うことなく前記アンテナケースを前記所定角度で前記マストに固着できることを最も主要な特徴としている。
さらに、本発明の他の実施例のアンテナ取付装置では、前記アンテナケースに内蔵された指向性アンテナが、左旋円偏波アンテナおよび右旋円偏波アンテナとされていることを最も主要な特徴としている。
【０００９】
上記した本発明の各実施例のアンテナ取付装置において、前記取付台は、前記マストの下端面に中央部が回動可能に固着された細長い矩形状の第１取付足と、前記マストの下端面に中央部が回動可能に前記第１取付足に重ねられて固着された細長い矩形状の第２取付足と、前記第１取付足の両側の中途と前記マストの中途との間に設けられた２本の第１ステーと、前記第２取付足の両側の中途と前記マストの中途との間に設けられた２本の第２ステーと、２本の前記第１ステーの上端を前記マストに固着する第１締め付け具と、２本の前記第２ステーの上端を前記マストに固着する第２締め付け具とを備えており、前記第１締め付け具および／または前記第２締め付け具を緩めることにより、前記第１取付足および／または前記第２取付足を前記マストに対して回動可能とさせて、前記第１取付足を前記第２取付足に沿うように折り畳めるようにしてもよい。
また、上記した本発明の各実施例のアンテナ取付装置において、前記取付台は、断面Ｌ字状とされた細長い第１取付足、第２取付足、第３取付足および第４取付足と、前記第１取付足ないし前記第４取付足の中途と前記マストの中途との間に設けられた４本のステーとを有し、前記第１取付足と前記第２取付足とは、前記マストの下部を端部で挟持するよう配置されて、前記第１取付足の端部に形成された挿通孔に挿通した第１ボルト手段を、前記マストの下部に形成された第１貫通孔および前記第２取付足の端部に形成された挿通孔に挿通して螺着することにより、前記マストに前記第１取付足および前記第２取付足が固着され、前記第３取付足と前記第４取付足とは、前記マストの下部を端部で挟持すると共に前記第１取付足および前記第２取付足にほぼ直交して配置されて、前記第３取付足の端部に形成された挿通孔に挿通した第２ボルト手段を、前記マストの下部に前記第１貫通孔にほぼ直交するよう形成された第２貫通孔および前記第４取付足の端部に形成された挿通孔に挿通して螺着することにより、前記マストに前記第３取付足および前記第４取付足が固着され、前記第１取付足と前記第２取付足とにそれぞれ設けられた２本の前記ステーの上端が、前記マストに前記第１貫通孔と平行に形成された第３貫通孔を挿通する第３ボルト手段により前記マストの中途に固着され、前記第３取付足と前記第４取付足とにそれぞれ設けられた２本の前記ステーの上端が、前記マストに前記第２貫通孔と平行に形成された第４貫通孔を挿通する第４ボルト手段により前記マストの中途に固着され、前記第１ボルト手段および前記第２ボルト手段を緩めると共に、前記第３ボルト手段および前記第４ボルト手段を前記第３貫通孔および前記第４貫通孔から外して、前記マストの前記第３貫通孔および前記第４貫通孔より高い位置にそれぞれ平行に形成された第１取付穴および第２取付穴に前記第３ボルト手段および前記第４ボルト手段をそれぞれ挿通することにより、前記第１取付足ないし第４取付足および前記４本のステーを前記マストに沿うように折り畳めるようにしてもよい。
さらに、上記した本発明の各実施例のアンテナ取付装置において、前記取付台は、断面Ｌ字状とされた細長い第１取付足、第２取付足、第３取付足および第４取付足と、前記第１取付足の両側の中途と前記マストの中途との間に設けられた２本の第１ステーと、前記第２取付足の両側の中途と前記マストの中途との間に設けられた２本の第２ステーとを有し、前記第１取付足と前記第２取付足とは、前記マストの下部を端部で挟持するよう配置されて、前記第１取付足の端部に形成された挿通孔に挿通した第１ボルト手段を、前記マストの下部に形成された第１貫通孔および前記第２取付足の端部に形成された挿通孔に挿通して螺着することにより、前記マストに第１取付足および第２取付足が固着され、前記第３取付足と前記第４取付足とは、前記マストの下部を端部で挟持すると共に前記第１取付足および前記第２取付足にほぼ直交して配置されて、前記第３取付足の端部に形成された挿通孔に挿通した第２ボルト手段を、前記マストの下部に前記第１貫通孔にほぼ直交するよう形成された第２貫通孔および前記第４取付足の端部に形成された挿通孔に挿通して螺着することにより、前記マストに前記第３取付足および前記第４取付足が固着され、２本の前記第１ステーの上端が、前記マストに前記第１貫通孔と平行に形成された第３貫通孔を挿通する第３ボルト手段により前記マストの中途に固着され、２本の前記第２ステーの上端が、前記マストに前記第２貫通孔と平行に形成された第４貫通孔を挿通する第４ボルト手段により前記マストの中途に固着され、前記第２ボルト手段を前記第２挿通孔から外すと共に前記第４ボルト手段を前記第４貫通孔から外し、前記マストの前記第１貫通孔と前記第３貫通孔との間に前記第１貫通孔を若干回転させた角度で形成された第１取付穴に前記第２ボルト手段を挿通すると共に、前記マストの前記第２貫通孔と前記第４貫通孔との間に前記第１貫通孔を若干回転させた角度で形成された第２取付穴に前記第４ボルト手段を挿通することにより、前記第３取付足および第４取付足および２本の前記第２ステーを前記第１取付足および前記第２取付足に沿うように折り畳めるようにしてもよい。
【発明の効果】
【００１０】
本発明のアンテナ取付装置は、マストに設けられた規定ボルトおよび取付金具に設けられた規制手段により、角度調整を行うことなくアンテナケースを所定角度でマストに固着することができ、各指向性アンテナを所定の指向方向に向くように容易に設置できるようになる。また、取付台を折り畳めるので、搬送しやすいと共に、保管スペースが小さくなる構造となされている。
【図面の簡単な説明】
【００１１】
【図１】本発明の第１実施例であるアンテナ取付装置の構成を示す斜視図である。
【図２】本発明の第１実施例であるアンテナ取付装置の折り畳んだ構成を示す斜視図である。
【図３】本発明のアンテナ取付装置における第２実施例の取付台の構成を示す斜視図である。
【図４】本発明のアンテナ取付装置における第２実施例の取付台を折り畳んだ構成を示す斜視図である。
【図５】本発明のアンテナ取付装置における第３実施例の取付台の構成を示す斜視図である。
【図６】本発明のアンテナ取付装置における第３実施例の取付台を折り畳んだ構成を示す斜視図である。
【図７】本発明の実施例のアンテナ取付装置に取り付けられたアンテナ装置の構成を示す斜視図である。
【図８】本発明の実施例のアンテナ取付装置に取り付けられたアンテナ装置の構成の一部を拡大して示す斜視図である。
【図９】本発明の実施例のアンテナ取付装置におけるマストの構成の一部を拡大して示す斜視図である。
【図１０】工場や工事現場の環境モニタリングなどを行う場面を示す図である。
【図１１】図１０における一つの端末の構成を示す図である。
【発明を実施するための形態】
【００１２】
＜第１実施例＞
本発明の第１実施例にかかるアンテナ取付装置１００の構成を図１および図２に示す。図１は第１実施例であるアンテナ取付装置の構成を示す斜視図であり、図２は第１実施例であるアンテナ取付装置の折り畳んだ構成を示す斜視図である。
これらの図に示す本発明の第１実施例にかかるアンテナ取付装置１００は、第１指向性アンテナ１、第２指向性アンテナ２、第３指向性アンテナ３が上部に所定間隔で所定方向を向くように取り付けられている第１マスト４ａと、第１マスト４ａを支持する第２マスト４ｂと、第２マスト４ｂをグランドに起立して支持する取付台７とを備えている。第１指向性アンテナ１は第１マスト４ａに指向方向が０°の基準角度になるよう取り付けられ、第２指向性アンテナ２は第１マスト４ａに指向方向が第１指向性アンテナ１の指向方向から約４５°回転するよう取り付けられ、第３指向性アンテナ３はマスト４ａに指向方向が第１指向性アンテナ１の指向方向から約９０°回転するよう取り付けられている。第１指向性アンテナ１ないし第３指向性アンテナ３は、円筒形とされた電波が透過する絶縁材製、例えばビニルパイプや他の樹脂製のパイプのアンテナケース１０を備え、アンテナケース１０内に指向性を有するアンテナ部が内蔵され、アンテナ部の指向方向はアンテナケース１０の中心軸に対してほぼ直交する方向になる。このアンテナ部は、水平偏波および垂直偏波を送受信するアンテナとされたり、円偏波を送受信するアンテナとすることができる。円偏波を送受信する場合は、ヘリカルエレメントを備える左旋円偏波アンテナ部と右旋円偏波アンテナ部とをアンテナケース１０内に内蔵させる。なお、第１指向性アンテナ１ないし第３指向性アンテナ３は、アンテナケース１０の背面側が後述する取付金具５により第１マスト４ａに固着されている。
【００１３】
第１マスト４ａの下部と第２マスト４ｂの上部とが２つの上下に配置されたマスト固着具４ｃにより固着されている。マスト固着具４ｃは、第１マスト４ａの外周面を両側から抱持すると共に第２マスト４ｂの外周面を両側から抱持する部材がボルトで連結されて構成され、ボルトを締着することにより第１マスト４ａが第２マスト４ｂに支持され、ボルトを緩めることにより第１マスト４ａを第２マスト４ｂに対して上下に摺動できるようになる。第１マスト４ａおよび第２マスト４ｂは、金属パイプ製あるいはＦＲＰ（Fiber-Reinforced Plastics ）パイプやビニルパイプ等の樹脂パイプ製とされている。
【００１４】
第２マスト４ｂをグランドに起立して支持する金属製の取付台７は、グランド上に配置される細長い矩形状とされた平板状の第１取付足１０１と、第１取付足１０１にほぼ直交するよう配置された細長い矩形状とされた平板状の第２取付足１０２とを備えている。第１取付足１０１と第２取付足１０２とは、中央部が両端部より上に位置して両端部の下面がグランドに接した際に中央部がグランドから浮くように、中央部と両端部との境界において屈曲されている。第１取付足１０１と第２取付足１０２との中央には挿通孔が形成されており、第１取付足１０１に第２取付足１０２を重ねた状態において、中央の挿通孔に下から頭部が円盤状の固定ボルトを挿通して固定ボルトを第２マスト４ｂの下端面に螺合する。この固定ボルトを締め付けても、第１取付足１０１と第２取付足１０２とは第２マスト４ｂの下端面に対して回動することができる。第１取付足１０１および第２取付足１０２の中央部における端部である両端側との境界部分にそれぞれＬ字金具がボルトで固着されている。そして、第１取付足１０１の端部にそれぞれに固着された２つのＬ字金具に細長い矩形状とされた平板状の２本の第１ステー１１１，１１２の下端がそれぞれボルトで固着され、第２取付足１０２の端部にそれぞれに固着された２つのＬ字金具に細長い矩形状とされた平板状の２本の第２ステー１１３，１１４の下端がそれぞれボルトで固着されている。２本の第１ステー１１１，１１２の上端は、第２マスト４ｂを抱持するよう固着された第１締め付け具１２１の両側にそれぞれボルトで固着され、２本の第２ステー１１３，１１４の上端は、第２マスト４ｂを抱持するよう固着された第２締め付け具１２２の両側にそれぞれボルトで固着されている。第１締め付け具１２１および第２締め付け具１２２は、締着ボルトを備え締着ボルトを締め付けることにより、第１ステー１１１，１１２および第２ステー１１３，１１４の機能により第２マスト４ｂが直立して大きな機械的強度を保てるように支持されるようになる。また、締着ボルトを緩めることにより、第１取付足１０１に対して第２取付足１０２を回転させて第１取付足１０１と第２取付足１０２の角度を開いたり閉じたりすることができるようになる。
【００１５】
図１に示す状態は、第１指向性アンテナ１ないし第３指向性アンテナ３の取付金具５が締着され、マスト固着具４ｃのボルトが締着され、第１締め付け具１２１および第２締め付け具１２２の締着ボルトが締着されて、アンテナ取付装置１００が組み立てられた状態を示している。この場合、第１取付足１０１と第２取付足１０２とがほぼ直交するように開かれている。そして、図２に示す状態はアンテナ取付装置１００が折り畳まれた状態を示している。すなわち、第１指向性アンテナ１ないし第３指向性アンテナ３の取付金具５が緩められて、第１指向性アンテナ１ないし第３指向性アンテナ３が互いに平行になるように、第１マスト４ａに対して回転されて、取付金具５が仮止めされている。また、マスト固着具４ｃのボルトが緩められて第１マスト４ａが下限まで移動されてボルトが仮止めされている。さらに、第１締め付け具１２１または第２締め付け具１２２の締着ボルトが緩められて、第１取付足１０１または第２取付足１０２を回転して第１取付足１０１と第２取付足１０２とが沿うよう閉じられ、緩めた第１締め付け具１２１または第２締め付け具１２２の締着ボルトを仮止めする。この場合、締着ボルトを緩めた側の第１取付足１０１または第２取付足１０２に設けられている２本のステーを固着しているボルトも緩めるようにする。また、第１締め付け具１２１および第２締め付け具１２２の締着ボルトを共に緩めて、第１取付足１０１と第２取付足１０２とが沿うよう閉じてもよい。
【００１６】
図２に示すように折り畳んだ状態とされた第１実施例のアンテナ取付装置１００は、自立可能であり、ほぼ平行とされた第１指向性アンテナ１ないし第３指向性アンテナ３の投影面上に閉じた第１取付足１０１および第２取付足１０２がほぼ重なるようになるから、保管する際に占める体積を減少することができる。このため、折り畳んだ状態の複数のアンテナ取付装置１００を互いに平行になるように配置することで狭い空間であっても、多数のアンテナ取付装置１００を並べて保管することができるようになる。
なお、第１実施例のアンテナ取付装置１００は、第１マスト４ａを第２マスト４ｂから上方向に伸張させる長さは任意の長さとすることができ、設置する場所に応じてアンテナ取付装置１００の高さを調整することができる。最大の高さは、例えば約２３００ｍｍとされ、最も縮めた折り畳んだ状態の高さは約１８００ｍｍとなる。第１実施例のアンテナ取付装置１００を折り畳んだ状態の横幅は、例えば約１０００ｍｍとなり、奥行き１０００ｍｍの空間に折り畳んだ状態のアンテナ取付装置１００を３台並べて保管することができる奥行きの幅となる。
【００１７】
そして、折り畳んだ状態のアンテナ取付装置１００を組み立てる際には、第１締め付け具１２１または第２締め付け具１２２における締着ボルトの仮止めを解除し、締着ボルトを緩めた側の第１取付足１０１または第２取付足１０２に設けられている２本のステーを固着しているボルトの仮止めを解除する。次いで、第１取付足１０１と第２取付足１０２とがほぼ直交配置されるよう締着ボルトを緩めた取付足を開いて、緩めた第１締め付け具１２１または第２締め付け具１２２の締着ボルトを締着する。次いで、取付金具５の仮止めを解除して第１指向性アンテナ１ないし第３指向性アンテナ３が所定方向を向くように取付金具５で固着する。所定方向に向くように第１指向性アンテナ１ないし第３指向性アンテナ３を固着するのは、後述するように容易に行える。また、第１指向性アンテナ１ないし第３指向性アンテナ３からの受信信号を受信する端末が、図示していないが第２マスト４ｂの取付台７のすぐ上に固着されている。
さらに、第１取付足１０１および第２取付足１０２の両端に開けられているアンカー取付穴にアンカーボルトを挿通してグランドに締着するようにすると、アンテナ取付装置１００の転倒を防止することができる。また、第１取付足１０１および第２取付足１０２の上に土嚢やおもりを載置するようにして、第１実施例のアンテナ取付装置１００の転倒を防止するようにしてもよい。
なお、第１取付足１０１および第２取付足１０２の長さは、例えば約１０００ｍｍとされて第１実施例のアンテナ取付装置１００を設置した際に、第１指向性アンテナ１ないし第３指向性アンテナ３が壁などに接触することが防止されている。この場合、第１指向性アンテナ１ないし第３指向性アンテナ３の中心軸方向の長さは約５６０ｍｍとされている。また、第１実施例のアンテナ取付装置１００が仮に転倒した場合は、取付台７と第１指向性アンテナ１ないし第３指向性アンテナ３とを結ぶ面内に端末が存在するようになり、転倒しても端末は直接衝撃を受けず保護されるようになる。
【００１８】
ここで、第１指向性アンテナ１ないし第３指向性アンテナ３を所定方向を向くように容易に固着できることについて図７ないし図９を参照して説明する。図７は第１実施例のアンテナ取付装置１００に取り付けられたアンテナ装置の構成を示す斜視図、図８は図７の一部の構成を拡大して示す斜視図、図９（ａ）は第１マスト４ａの構成の一部を拡大して示す斜視図、図９（ｂ）はその上面図である。
図９（ａ）（ｂ）に示すように、第１マスト４ａの上部の外周面において規定ボルト６ａが突出して設けられている。この規定ボルト６ａと所定間隔を開けると共に規定ボルト６ａから角度θ１（例えば、４５°または４０°）回転させた規定ボルト６ｂが突出して設けられている。さらに、この規定ボルト６ｂと所定間隔を開けると共に規定ボルト６ｂから角度θ２（例えば、４５°または４０°）回転させた規定ボルト６ｃが突出して設けられている。規定ボルト６ａないし規定ボルト６ｃの間隔は、例えば２００ｍｍまたは１５０ｍｍとされている。
【００１９】
第１指向性アンテナ１ないし第３指向性アンテナ３は、図７，図８に示すように取付金具５ａにより第１指向性アンテナ１が第１マスト４ａの規定ボルト６ａの突出位置に固着され、取付金具５ｂにより第２指向性アンテナ２が第１マスト４ａの規定ボルト６ｂの突出位置に固着され、取付金具５ｃにより第３指向性アンテナ３が第１マスト４ａの規定ボルト６ｃの突出位置に固着される。取付金具５ａないし取付金具５ｃは同じ構成の取付金具５とされ、取付金具５の説明を図８を参照して取付金具５ｂで説明する。
図８に示すように、第２指向性アンテナ２のアンテナケース１０の背面側に断面形状がＭ字状の取付座金具２０１が固着されている。この場合、取付座金具２０１の両側に配置された断面ほぼコ字状のサドル金具に挿通された１対の取付ネジで固着される。取付座金具２０１に対向すると共に第１マスト４ａをその間に挟むように断面形状がコ字状の押さえ金具２０２が配置される。押さえ金具２０２の中央部は山形に折曲されており、その頂部に規定ボルト６ｂを挿通する規定ボルト挿通孔が形成されている。この規定ボルト挿通孔に第１マスト４ａに設けられた規定ボルト６ｂが挿通されるように、第１マスト４ａを取付座金具２０１と押さえ金具２０２との間に配置して、取付座金具２０１に遊動可能に設けられているＵボルト２０４のネジが切られている両腕部の先端部を押さえ金具２０２の両側に挿通して、両腕部の先端に１対の蝶ネジ２０５を螺合して締着する。
【００２０】
これにより、取付座金具２０１と押さえ金具２０２との間に第１マスト４ａが挟持されて、第２指向性アンテナ２を第１マスト４ａに取り付けることができる。取付座金具２０１および押さえ金具２０２は平板状の板金を加工して作成されており、取付座金具２０１と押さえ金具２０２の第１マスト４ａに接する部位には第１マスト４ａに喰い込む鋸歯状の突起が複数形成されている。また、Ｕボルト２０４のネジが切られている一方の腕の所定位置にストップナット２０６が螺着されている。ストップナット２０６は、２つのナットからなるロックナットとすることができる。押さえ金具２０２から突出しているストップナット２０６が設けられているＵボルト２０４の腕に蝶ネジ２０５を螺合していくと、押さえ金具２０２の裏面がストップナット２０６に衝突した際に、押さえ金具２０２がストップナット２０６と蝶ネジ２０５で挟持されて固着される。すなわち、取付座金具２０１から押さえ金具２０２までの間隔がストップナット２０６により規制されるようになる。次いで、Ｕボルト２０４のもう一方の腕に蝶ネジ２０５を締着する。これにより、取付座金具２０１から押さえ金具２０２までの間隔がストップナット２０６により規制されることから、取付座金具２０１に対して押さえ金具２０２が斜めになることが防止されて平行になって、規定ボルト６ｂに対して取付金具５ｂが固着された第２指向性アンテナ２が直交するように固着される。
【００２１】
このように、押さえ金具２０２をＵボルト２０４で取り付ける際に、ストップナット２０６側を先に締着してから他側を締着することにより、取付金具５ｂは規定ボルト６ｂに対して直交するようになる。そして、第２指向性アンテナ２の指向方向はアンテナケースの中心軸に対してほぼ直交するから、取付金具５ｂにより第１マスト４ａに固着されている第２指向性アンテナ２の指向方向は規定ボルト６ｂの延伸方向となる。これにより、第２指向性アンテナ２が所定方向を向くように角度調整を行うことなく容易に固着することができる。第１指向性アンテナ１および第３指向性アンテナ３も規定ボルト６ａと取付金具５ａおよび規定ボルト６ｃと取付金具５ｃにより第２指向性アンテナ２と同様に第１マスト４ａに固着されることから、第１指向性アンテナ１ないし第３指向性アンテナ３を所定方向を向くように角度調整を行うことなく容易に固着することができる。
【００２２】
＜第２実施例＞
次に、本発明の第２実施例にかかるアンテナ取付装置２００を説明する。第２実施例のアンテナ取付装置２００は、第１実施例のアンテナ取付装置１００の取付台７が構成の異なる取付台８で構成されており、取付台８の構成を除いて第１実施例のアンテナ取付装置１００と同様の構成とされている。そこで、第２実施例のアンテナ取付装置２００では図３および図４を参照して取付台８だけの説明を行う。図３は第２実施例の取付台８の構成を示す斜視図、図４は第２実施例の取付台８を折り畳んだ構成を示す斜視図である。
第２実施例のアンテナ取付装置２００において、第２マスト４ｂがグランドに起立されるよう支持する金属製の取付台８は、グランド上に配置される細長い断面Ｌ字状の第１取付足１４１と、第１取付足１４１に対向するよう配置された細長い断面Ｌ字状の第２取付足１４２と、第１取付足１４１および第２取付足１４２にほぼ直交するよう配置された細長い断面Ｌ字状の第３取付足１４３と、第３取付足１４３に対向するよう配置された細長い断面Ｌ字状の第４取付足１４４とを備えている。
【００２３】
第１取付足１４１ないし第４取付足１４４の一端において、Ｌ字状に立設している側に挿通孔がそれぞれ形成されており、第２マスト４ｂの下部には第２マスト４ｂを横方向に貫通する第１貫通孔と、第１貫通孔のすぐ上に第１貫通孔と直交する第２マスト４ｂを貫通する第２貫通孔が形成されている。第２マスト４ｂの下部の第１貫通孔を第１取付足１４１および第２取付足１４２の一端で両側から挟持するよう第１取付足１４１および第２取付足１４２が配置されて、第１取付足１４１の一端に形成された挿通孔に挿通した第１取付ボルト１６１を、第２マスト４ｂの第１貫通孔に挿通し、さらに、第２取付足１４２の一端に形成された挿通孔に挿通して螺着することにより、第２マスト４ｂの下部に第１取付足１４１および第２取付足１４２が固着されている。また、第２マスト４ｂの下部の第２貫通孔を第３取付足１４３および第４取付足１４４の一端で両側から挟持するよう第３取付足１４３および第４取付足１４４が配置されて、第３取付足１４３の一端に形成された挿通孔に挿通した第２取付ボルト１６２を、第２マスト４ｂの第２貫通孔に挿通し、さらに、第４取付足１４４の一端に形成された挿通孔に挿通して螺着することにより、第２マスト４ｂに第３取付足１４３および第４取付足１４４が固着されている。
【００２４】
第１取付足１４１ないし第４取付足１４４の中央部のＬ字状に立設している側にそれぞれステー取付孔が形成されている。また、第２マスト４ｂの下端から所定位置に第２マスト４ｂを貫通する第１貫通孔にほぼ平行とされた第３貫通孔が形成され、第３貫通孔のすぐ上に第２貫通孔とほぼ平行に第２マスト４ｂを貫通する第４貫通孔が形成され、第３貫通孔の上に所定間隔開けて第３貫通孔とほぼ平行に第２マスト４ｂを貫通する第１取付穴１６５が形成され、第４貫通孔の上に所定間隔開けて第４貫通孔とほぼ平行に第２マスト４ｂを貫通する第２取付穴１６６が形成されている。
第１取付足１４１のステー取付孔に細長い矩形状とされた平板状のステー１５１の下端がボルトで固着され、第２取付足１４２のステー取付孔に細長い矩形状とされた平板状のステー１５２の下端がボルトで固着され、第３取付足１４３のステー取付孔に細長い矩形状とされた平板状のステー１５３の下端がボルトで固着され、第４取付足１４４のステー取付孔に細長い矩形状とされた平板状のステー１５４の下端がボルトで固着されている。
【００２５】
そして、ステー１５１の上端に形成された挿通孔に挿通した第３取付ボルト１６３を、第２マスト４ｂの第３貫通孔に挿通し、さらに、ステー１５２の上端に形成された挿通孔に挿通して螺着されている。また、ステー１５３の上端に形成された挿通孔に挿通した第４取付ボルト１６４を、第２マスト４ｂの第４貫通孔に挿通し、さらに、ステー１５４の上端に形成された挿通孔に挿通して螺着されている。これにより、第１取付足１４１および第２取付足１４２に第３取付足１４３および第４取付足１４４がほぼ直交して第２マスト４ｂに固着され、ステー１５１ないしステー１５４の機能により第２マスト４ｂが直立されて大きな機械的強度を保てるように支持されるようになる。
【００２６】
図３に示す状態は第２実施例のアンテナ取付装置２００が組み立てられた状態を示しており、図示されていないが第１指向性アンテナ１ないし第３指向性アンテナ３の取付金具５が締着され、マスト固着具４ｃのボルトが締着されている。そして、図４に示す状態は第２実施例のアンテナ取付装置２００が折り畳まれた状態を示している。すなわち、第１指向性アンテナ１ないし第３指向性アンテナ３の取付金具５が緩められて、第１指向性アンテナ１ないし第３指向性アンテナ３が互いに平行になるように、第１マスト４ａに対して回転されて、取付金具５が仮止めされている。また、マスト固着具４ｃのボルトが緩められて第１マスト４ａが下限まで移動されてボルトが仮止めされている。さらに、図４に示すように取付台８が折り畳まれている。折り畳んだ状態とされた第２実施例のアンテナ取付装置２００は、保管する際に占める体積を減少することができる。このため、折り畳んだ状態の複数のアンテナ取付装置２００を互いに平行になるように配置することで狭い空間であっても、多数のアンテナ取付装置２００を並べて保管することができるようになる。
【００２７】
取付台８を折り畳む際には、第１取付ボルト１６１および第２取付ボルト１６２を緩め、さらに、第３取付ボルト１６３および第４取付ボルト１６４を第２マスト４ｂの第３貫通孔および第４貫通孔から取り外す。そして、ステー１５１の上端に形成された挿通孔に挿通した第３取付ボルト１６３を、第２マスト４ｂの第３貫通孔より上に形成した第１取付穴１６５に挿通し、さらに、ステー１５２の上端に形成された挿通孔に挿通して螺着することにより、第２マスト４ｂに沿うように第１取付足１４１および第２取付足１４２および２本のステー１５１，１５２が回転されて固着されるようになる。また、ステー１５３の上端に形成された挿通孔に挿通した第４取付ボルト１６４を、第２マスト４ｂの第４貫通孔より上に形成した第２取付穴１６６に挿通し、さらに、ステー１５４の上端に形成された挿通孔に挿通して螺着することにより、第２マスト４ｂに沿うように第３取付足１４３および第４取付足１４４および２本のステー１５３，１５４が回転されて固着されるようになる。この取付台８の状態が図４に示す状態となり、第１取付ボルト１６１および第２取付ボルト１６２は仮止めされている。
【００２８】
そして、折り畳んだ状態の第２実施例のアンテナ取付装置２００を組み立てる際には、第３取付ボルト１６３および第４取付ボルト１６４を第２マスト４ｂの第１取付穴１６５および第２取付穴１６６から取り外す。次いで、第１取付ボルト１６１および第２取付ボルト１６２の仮止めを解除して、第３取付ボルト１６３および第４取付ボルト１６４を第３貫通孔および第４貫通孔に上述したように挿通して螺着する。また、取付金具５の仮止めを解除して第１指向性アンテナ１ないし第３指向性アンテナ３が所定方向を向くように取付金具５で固着する。所定方向に向くように第１指向性アンテナ１ないし第３指向性アンテナ３を固着するのは、上述したように容易に行える。さらに、第１指向性アンテナ１ないし第３指向性アンテナ３からの受信信号を受信する端末が、図示していないが第２マスト４ｂの取付台８のすぐ上に固着されている。さらにまた、第１取付足１４１ないし第４取付足１４４の外側に位置する他端にアンカー取付穴を開けて、アンカー取付穴にアンカーボルトを挿通してグランドに締着して、第２実施例のアンテナ取付装置２００の転倒を防止するようにしてもよい。さらにまた、第１取付足１４１ないし第４取付足１４４の上に土嚢やおもりを載置するようにして、第２実施例のアンテナ取付装置２００の転倒を防止するようにしてもよい。
なお、第１取付足１４１と第２取付足１４２との両端間、第３取付足１４３と第４取付足１４４との両端間の長さは、例えば約１０００ｍｍとされて第２実施例のアンテナ取付装置２００を設置した際に、第１指向性アンテナ１ないし第３指向性アンテナ３が壁などに接触することが防止されている。この場合、第１指向性アンテナ１ないし第３指向性アンテナ３の中心軸方向の長さは約５６０ｍｍとされている。また、第２実施例のアンテナ取付装置２００が仮に転倒した場合は、取付台８と第１指向性アンテナ１ないし第３指向性アンテナ３とを結ぶ面内に端末が存在するようになり、転倒しても端末は直接衝撃を受けず保護されるようになる。
【００２９】
＜第３実施例＞
次に、本発明の第３実施例にかかるアンテナ取付装置３００を説明する。第３実施例のアンテナ取付装置３００は、第１実施例のアンテナ取付装置１００の取付台７が構成の異なる取付台９で構成されており、取付台９の構成を除いて第１実施例のアンテナ取付装置１００と同様の構成とされている。そこで、第３実施例のアンテナ取付装置３００では図５および図６を参照して取付台９だけの説明を行う。図５は第３実施例の取付台９の構成を示す斜視図、図６は第３実施例の取付台９を折り畳んだ構成を示す斜視図である。
第３実施例のアンテナ取付装置３００において、第２マスト４ｂがグランドに起立されるよう支持する金属製の取付台９は、グランド上に配置される細長い断面Ｌ字状の第１取付足１４１と、第１取付足１４１に対向するよう配置された細長い断面Ｌ字状の第２取付足１４２と、第１取付足１４１および第２取付足１４２にほぼ直交するよう配置された細長い断面Ｌ字状と第３取付足１４３と、第３取付足１４３に対向するよう配置された細長い断面Ｌ字状の第４取付足１４４とを備えている。
【００３０】
第１取付足１４１ないし第４取付足１４４の一端において、Ｌ字状に立設している側に挿通孔がそれぞれ形成されており、第２マスト４ｂの下部には第２マスト４ｂを横方向に貫通する第１貫通孔と、第１貫通孔のすぐ上に第１貫通孔と直交する第２マスト４ｂを貫通する第２貫通孔が形成されている。第２マスト４ｂの下部の第１貫通孔を第１取付足１４１および第２取付足１４２の一端で両側から挟持するよう第１取付足１４１および第２取付足１４２が配置されて、第１取付足１４１の一端に形成された挿通孔に挿通した第１取付ボルト１６１を、第２マスト４ｂの第１貫通孔に挿通し、さらに、第２取付足１４２の一端に形成された挿通孔に挿通して螺着することにより、第２マスト４ｂの下部に第１取付足１４１および第２取付足１４２が固着されている。また、第２マスト４ｂの下部の第２貫通孔を第３取付足１４３および第４取付足１４４の一端で両側から挟持するよう第３取付足１４３および第４取付足１４４が配置されて、第３取付足１４３の一端に形成された挿通孔に挿通した第２取付ボルト１６２を、第２マスト４ｂの第２貫通孔に挿通し、さらに、第４取付足１４４の一端に形成された挿通孔に挿通して螺着することにより、第２マスト４ｂに第３取付足１４３および第４取付足１４４が固着されている。
【００３１】
第１取付足１４１ないし第４取付足１４４の中央部のＬ字状に立設している側にそれぞれステー取付孔が形成されている。また、第２マスト４ｂの下端から所定位置に第２マスト４ｂを貫通する第１貫通孔にほぼ平行とされた第３貫通孔が形成され、第３貫通孔のすぐ上に第２貫通孔とほぼ平行に第２マスト４ｂを貫通する第４貫通孔が形成されている。さらに、第１貫通孔と第３貫通孔の間の所定位置に第１貫通孔を若干回転させた角度で第２マスト４ｂを貫通する第１取付穴１７５が形成され、第１取付穴１７５のすぐ上に第１取付穴１７５とほぼ平行に第２マスト４ｂを貫通する第２取付穴１７６が形成されている。
第１取付足１４１のステー取付孔に細長い矩形状とされた平板状の第１ステー１７１の下端がボルトで固着され、第２取付足１４２のステー取付孔に細長い矩形状とされた平板状の第１ステー１７２の下端がボルトで固着され、第３取付足１４３のステー取付孔に細長い矩形状とされた平板状の第２ステー１７３の下端がボルトで固着され、第４取付足１４４のステー取付孔に細長い矩形状とされた平板状の第２ステー１７４の下端がボルトで固着されている。
【００３２】
そして、第１ステー１７１の上端に形成された挿通孔に挿通した第３取付ボルト１６３を、第２マスト４ｂの第３貫通孔に挿通し、さらに、第１ステー１７２の上端に形成された挿通孔に挿通して螺着されている。また、第２ステー１７３の上端に形成された挿通孔に挿通した第４取付ボルト１６４を、第２マスト４ｂの第４貫通孔に挿通し、さらに、第２ステー１７４の上端に形成された挿通孔に挿通して螺着されている。これにより、第１取付足１４１および第２取付足１４２に第３取付足１４３および第４取付足１４４がほぼ直交して第２マスト４ｂに固着され、２本の第１ステー１７１，１７２および２本の第２ステー１７３，１７４の機能により第２マスト４ｂが直立されて大きな機械的強度を保てるように支持されるようになる。また、２本の第２ステー１７３，１７４の上端に形成された挿通孔から下側に所定間隔を開けて取付孔１７３ａがそれぞれ形成されている。なお、ステーの共通化を図るために、２本の第１ステー１７１，１７２にも上記取付孔１７３ａを形成するようにしても良い。
【００３３】
図５に示す状態は第３実施例のアンテナ取付装置３００が組み立てられた状態を示しており、図示されていないが第１指向性アンテナ１ないし第３指向性アンテナ３の取付金具５が締着され、マスト固着具４ｃのボルトが締着されている。そして、図６に示す状態は第３実施例のアンテナ取付装置３００が折り畳まれた状態を示している。すなわち、第１指向性アンテナ１ないし第３指向性アンテナ３の取付金具５が緩められて、第１指向性アンテナ１ないし第３指向性アンテナ３が互いに平行になるように、第１マスト４ａに対して回転されて、取付金具５が仮止めされている。また、マスト固着具４ｃのボルトが緩められて第１マスト４ａが下限まで移動されてボルトが仮止めされている。さらに、図６に示すように取付台９が折り畳まれている。折り畳んだ状態とされた第３実施例のアンテナ取付装置３００は、ほぼ平行とされた第１指向性アンテナ１ないし第３指向性アンテナ３の投影面上に閉じた第１取付足１４１ないし第４取付足１４４がほぼ重なるようになるから、保管する際に占める体積を減少することができる。このため、折り畳んだ状態の複数の第３実施例のアンテナ取付装置３００を互いに平行になるように配置することで狭い空間であっても、多数の第３実施例のアンテナ取付装置３００を並べて保管することができるようになる。
【００３４】
取付台９を折り畳む際には、第２取付ボルト１６２および第４取付ボルト１６４を第２マスト４ｂの第２貫通孔および第４貫通孔から取り外す。そして、第２マスト４ｂの第１取付穴１７５を第３取付足１４３および第４取付足１４４の一端で両側から挟持するよう第３取付足１４３および第４取付足１４４を配置して、第３取付足１４３の一端に形成された挿通孔に挿通した第２取付ボルト１６２を、第２マスト４ｂの第１取付穴１７５に挿通し、さらに、第４取付足１４４の一端に形成された挿通孔に挿通して螺着する。また、第２ステー１７３の上端に形成された挿通孔の下に形成された取付孔１７３ａに挿通した第４取付ボルト１６４を、第２マスト４ｂの第２取付孔１７６に挿通し、さらに、第２ステー１７４の上端に形成された挿通孔の下に形成された取付孔１７３ａに挿通して螺着する。第１取付穴１７５および第２取付穴１７６は第１貫通孔を若干回転させた角度で第２マスト４ｂを貫通するよう形成されていることから、第１取付足１４１および第２取付足１４２に対して第３取付足１４３および第４取付足１４４と２本の第２ステー１７３，１７４が閉じると共に、第３取付足１４３および第４取付足１４４の後端が若干上に浮いて固着されるようになる。この取付台９の状態が図６に示す状態となる。
【００３５】
そして、折り畳んだ状態の第３実施例のアンテナ取付装置３００を組み立てる際には、第２取付ボルト１６２および第４取付ボルト１６４を第２マスト４ｂの第１取付穴１７５および第２取付穴１７６から取り外す。次いで、第２取付ボルト１６２および第４取付ボルト１６４を第２貫通孔および第４貫通孔に上述したように挿通して螺着する。また、取付金具５の仮止めを解除して第１指向性アンテナ１ないし第３指向性アンテナ３が所定方向を向くように取付金具５で固着する。所定方向に向くように第１指向性アンテナ１ないし第３指向性アンテナ３を固着するのは、上述したように容易に行える。さらに、第１指向性アンテナ１ないし第３指向性アンテナ３からの受信信号を受信する端末が、図示していないが第２マスト４ｂの取付台９のすぐ上に固着されている。さらにまた、第１取付足１４１ないし第４取付足１４４の外側に位置する他端にアンカー取付穴を開けて、アンカー取付穴にアンカーボルトを挿通してグランドに締着して、第３実施例のアンテナ取付装置３００の転倒を防止するようにしてもよい。さらにまた、第１取付足１４１ないし第４取付足１４４の上に土嚢やおもりを載置するようにして、第３実施例のアンテナ取付装置３００の転倒を防止するようにしてもよい。
なお、第１取付足１４１と第２取付足１４２との両端間、第３取付足１４３と第４取付足１４４との両端間の長さは、例えば約１０００ｍｍとされて第３実施例のアンテナ取付装置３００を設置した際に、第１指向性アンテナ１ないし第３指向性アンテナ３が壁などに接触することが防止されている。この場合、第１指向性アンテナ１ないし第３指向性アンテナ３の中心軸方向の長さは約５６０ｍｍとされている。また、第３実施例のアンテナ取付装置３００が仮に転倒した場合は、取付台９と第１指向性アンテナ１ないし第３指向性アンテナ３とを結ぶ面内に端末が存在するようになり、転倒しても端末は直接衝撃を受けず保護されるようになる。
【産業上の利用可能性】
【００３６】
本発明の実施例にかかるアンテナ取付装置は、工場や工事現場の環境モニタリングなどを行う場面で設置されるアンテナ取付装置とすることができる。この場合、本発明の実施例にかかるアンテナ取付装置は端末を備えており、測量済のフィールド内の周囲の所定位置に図１０に示すように設置される。
上記説明した本発明の実施例のアンテナ取付装置において、円偏波を送受信する場合にアンテナケース内に内蔵されるヘリカルエレメントを備える左旋円偏波アンテナ部と右旋円偏波アンテナ部とは、例えば、２組のホット素子とコールド素子を構成する第１ヘリカル素子ないし第４ヘリカル素子をヘリカル状に巻回して構成することができる。そして、第１の組に給電される位相と第２の組に給電される位相との位相差を約９０°となるよう給電することにより、円偏波を送受信できるようになる。この場合、第１ヘリカル素子ないし第４ヘリカル素子を左巻きのヘリカル状に巻回することで左旋円偏波用となり、右巻きのヘリカル状に巻回することで右旋円偏波用とすることができる。また、第１ヘリカル素子ないし第４ヘリカル素子の巻き中心の軸を互いに偏心させて、ピッチを小さくすることにより、電気的特性がずれることなく低姿勢化することができる。
【符号の説明】
【００３７】
１  第１指向性アンテナ、２  第２指向性アンテナ、３  第３指向性アンテナ、４ａ  第１マスト、４ｂ  第２マスト、４ｃ  マスト固着具、５  取付金具、５ａ，５ｂ，５ｃ  取付金具、６ａ，６ｂ，６ｃ  規定ボルト、７  取付台、８  取付台、９  取付台、１０  アンテナケース、１００  アンテナ取付装置、１０１  第１取付足、１０２  第２取付足、１１１，１１２  第１ステー、１１３，１１４  第２ステー、１２１  第１締め付け具、１２２  第２締め付け具、１４１  第１取付足、１４２  第２取付足、１４３  第３取付足、１４４  第４取付足、１５１〜１５４  ステー、１６１  第１取付ボルト、１６２  第２取付ボルト、１６３  第３取付ボルト、１６４  第４取付ボルト、１６５  第１取付穴、１６６  第２取付穴、１７１，１７２  第１ステー、１７３，１７４  第２ステー、１７３ａ  取付孔、１７５  第１取付穴、１７６  第２取付孔、２００  アンテナ取付装置、２０１  取付座金具、２０２  押さえ金具、２０４  Ｕボルト、２０５  蝶ネジ、２０６  ストップナット、３００  アンテナ取付装置、１０１０  ターゲット、Ａ１ａ  第１指向性アンテナ、Ａ１ｂ  第２指向性アンテナ、Ａ１ｃ  第３指向性アンテナ、Ｔ１〜Ｔ４  端末
【図１】
2020005140.tif 000003
【図２】
2020005140.tif 000004
【図３】
2020005140.tif 000005
【図４】
2020005140.tif 000006
【図５】
2020005140.tif 000007
【図６】
2020005140.tif 000008
【図７】
2020005140.tif 000009
【図８】
2020005140.tif 000010
【図９】
2020005140.tif 000011
【図１０】
2020005140.tif 000012
【図１１】
2020005140.tif 000013